(57)【要約】  【課題】  できるだけコンパクトで薄く形成でき、部品点数が少ない折り畳み式の携帯端末装置を提供する。  【解決手段】  携帯端末装置は、第１の表面と第１の裏面とを有する上側筐体と、第２の表面と第２の裏面とを有する下側筐体と、上側筐体と下側筐体とを折り畳み可能に連結する結合部と、上側筐体と下側筐体との一方から、外側にスライドされうるカメラホルダと、第１の表面側に配置されるカメラとを備える。開かれると、第１の表示部は、カメラにより撮影された画像を表示し、折り畳まれると、第２の表示部は、カメラにより撮影された画像を表示する。携帯端末装置を薄く形成しながら、一つのカメラでユーザと被写体の両方を撮影できる。【選択図】  図２
2005236967.tif 000002
【特許請求の範囲】
【請求項１】
第１の表面と第１の裏面とを有する上側筐体と、
第２の表面と第２の裏面とを有する下側筐体と、
折り畳み状態において前記第１の表面と前記第２の表面とが重なるように、前記上側筐体と前記下側筐体とを折り畳み可能に連結する結合部と、
前記第１の表面に設けられる第１の表示部と、
前記上側筐体と前記下側筐体との一方から、外側に引き出され得るように設けられるカメラホルダと、
前記カメラホルダの前記第１の表面側に配置されるカメラとを備え、
前記上側筐体と前記下側筐体とが開かれた状態において、前記第１の表示部は、前記カメラにより撮影された画像を表示する携帯端末装置。
【請求項２】
第２の裏面に設けられる第２の表示部をさらに備え、上側筐体と下側筐体とが折り畳まれた状態において、第２の表示部は、カメラにより撮影された画像を表示する請求項１記載の携帯端末装置。
【請求項３】
カメラの脇に配置される照明部をさらに備える請求項１記載の携帯端末装置。
【請求項４】
カメラの脇に配置されるファインダをさらに備える請求項１記載の携帯端末装置。
【発明の詳細な説明】
【技術分野】
【０００１】
本発明は、カメラを備える折り畳み式の携帯端末装置（携帯電話端末、ＰＤＡ、デジタルカメラなど）に関するものである。
【背景技術】
【０００２】
特許文献１（特開２００３−３０４３０８号公報）は、カメラを備える折り畳み式の携帯端末装置を開示する。この携帯端末装置は、表面にディスプレイが配置される上側筐体と、表面にキー操作部が設けられる下側筐体と、上側筐体と下側筐体とを折り畳み可能に連結する結合部を備え、上側筐体の表面に第１のカメラが設けられ、下側筐体の裏面に第２のカメラが設けられる。上側筐体と下側筐体とが折りたたまれると、上側筐体の表面と下側筐体の表面とが重なり、第１のカメラは外部に露呈しない。
【０００３】
ユーザが自分自身を撮影するとき、ユーザは、上側筐体と下側筐体とを開き、第１のカメラを用いて自分自身を撮影する。そのモニタ画像は、上側筐体の表面に設けられたディスプレイに表示されるから、ユーザは、構図を確認しながら、自分自身を撮影できる。
【０００４】
ユーザが、自分自身でない被写体を撮影するとき、ユーザは、上側筐体と下側筐体とを開き、第２のカメラを被写体へ向け、被写体を撮影する。そのモニタ画像は、上側筐体の表面に設けられたディスプレイに表示されるから、ユーザは、構図を確認しながら、自分自身を撮影できる。
【０００５】
携帯端末装置は、できるだけコンパクトで薄く形成でき、部品点数が少ないことが望ましい。可搬性を高め、コストを削減できるからである。しかしながら、この構成は、２つ以上のカメラを携帯端末装置に設けることを前提とするため、このような要請に対応しにくい。
【０００６】
また、特許文献２（特開２００３−６０７６４号公報）は、１つのカメラのみでユーザが、自分自身と自分自身でない被写体の両方を撮影できる携帯端末装置を開示する。即ち、結合部が、回転可能なカメラホルダを有し、そのカメラホルダに１つのカメラが設けられる。こうすれば、ユーザは、カメラホルダをつまんで回転させることにより、カメラを自分自身に向けたり、自分自身でない被写体へ向けることができるため、部品点数を少なくできる。
【０００７】
しかしながら、このようにすると、結合部の厚さはかなり大きく設定されることになるから、携帯端末装置をできるだけコンパクトに薄く形成するという技術的課題を解決することができない。
【特許文献１】特開２００３−３０４３０８号公報
【特許文献２】特開２００３−６０７６４号公報
【発明の開示】
【発明が解決しようとする課題】
【０００８】
そこで本発明は、できるだけコンパクトで薄く形成でき、部品点数が少ない折り畳み式の携帯端末装置を提供することを目的とする。
【課題を解決するための手段】
【０００９】
第１の発明に係る携帯端末装置は、第１の表面と第１の裏面とを有する上側筐体と、第２の表面と第２の裏面とを有する下側筐体と、折り畳み状態において第１の表面と第２の表面とが重なるように、上側筐体と下側筐体とを折り畳み可能に連結する結合部と、第１の表面に設けられる第１の表示部と、上側筐体と下側筐体との一方から、外側に引き出され得るように設けられるカメラホルダと、カメラホルダの第１の表面側に配置されるカメラとを備え、上側筐体と下側筐体とが開かれた状態において、第１の表示部は、カメラにより撮影された画像を表示する。
【００１０】
この構成により、折り畳まれた状態と開かれた状態のいずれにおいても、カメラを共用できるから、カメラの個数を増やさずに、ユーザは、自分自身と自分以外の被写体を撮影できる。しかも、カメラを結合部に設けずカメラホルダ毎スライドさせるようにしたため、結合部の厚みを増やさずに、携帯端末装置をコンパクトに形成できる。
【００１１】
加えて、カメラホルダを引き出さない状態とすれば、カメラは、上側筐体と下側筐体とにより、損傷や破損から保護される。
【００１２】
第２の発明に係る携帯端末装置では、第１の発明の構成に加え、第２の裏面に設けられる第２の表示部をさらに備え、上側筐体と下側筐体とが折り畳まれた状態において、第２の表示部は、カメラにより撮影された画像を表示する。
【００１３】
この構成により、ユーザが上側筐体と下側筐体とを折り畳み、カメラホルダをスライドさせ、カメラを自分以外の被写体へ向けると、カメラが撮影する画像が第２の表示部へ表示されるため、ユーザは、構図を確認しながら、自分以外の被写体を撮影できる。
【００１４】
第３の発明に係る携帯端末装置では、第１の発明の構成に加え、カメラの脇に配置される照明部をさらに備える。
【００１５】
この構成により、照明部を点灯して光量を補充することができ、暗い環境においても良好な撮影結果が得られる。
【００１６】
第４の発明に係る携帯端末装置では、第１の発明の構成に加え、カメラの脇に配置されるファインダをさらに備える。
【００１７】
この構成により、第１の表示部でない表示部を設けなくても、ユーザは、ファインダを覗くことにより、構図を確認できる。よって、携帯端末装置をよりコンパクトに構成できる。
【発明の効果】
【００１８】
以上のように、本発明によれば、折り畳まれた状態と開かれた状態のいずれにおいても、カメラを共用できるように構成しており、しかも、カメラを結合部に設けずカメラホルダ毎スライドさせるようにしたため、結合部の厚みを増やさずに、携帯端末装置を薄型化できる。上側筐体と下側筐体とを折りたたんだ際、上側筐体と下側筐体とにより隠されるカメラを有効に活用でき、また、そのカメラを上側筐体とした側筐体とにより挟んで、損傷あるいは汚れ等から保護することができる。
【発明を実施するための最良の形態】
【００１９】
以下図面を参照しながら、本発明の実施の形態を説明する。
【００２０】
（実施の形態１）
実施の形態１の携帯端末装置は、携帯電話端末であるものとし、図１〜図３を参照しながら、この携帯電話端末を説明する。
【００２１】
図１（ａ）は、実施の形態１における携帯端末装置の上側筐体と下側筐体が開かれた状態にあるときに、表面側から見た斜視図であり、図１（ｂ）は、それを裏面側から見た斜視図である。
【００２２】
図１に示すように、この携帯端末装置は、次の要素を備える。上側筐体２は、第１の表面２ａと第１の裏面２ｂとを有する。下側筐体１は、第２の表面１ａと第２の裏面１ｂとを有する。結合部３０は、折り畳み状態において第１の表面２ａと第２の表面１ａとが重なるように、上側筐体２の下端部と下側筐体１と基端部とを折り畳み可能に連結する。下側筐体１の表面１ａには、キー操作部５が設けられる。
【００２３】
第１の表示部３が上側筐体２の第１の表面２ａに設けられ、第２の表示部４が上側筐体２の第１の裏面２ｂに設けられる。これらの表示部３、４は、例えば、液晶ディスプレイ等から構成される。
【００２４】
カメラホルダ６は、上側筐体２から、外側上向きに直線的に引き出され得るように設けられる。本形態では、上側筐体２の側面２ｃに、スライドスイッチ９が設けられている。
【００２５】
ユーザが、スライドスイッチ９を押すと、カメラホルダ６が図１（ａ）、（ｂ）に示す状態（非スライド状態）から図２（ａ）、（ｂ）に示す状態（スライド状態）へ遷移するようになっている。
【００２６】
本発明の骨子は、スライド機構そのものに関するわけではないので、スライド機構の詳細な説明は省略するが、周知のスライド機構を適用して差し支えない。なお、スライド機構を省略し、ユーザが指でカメラホルダ６をつまんで引き出したり押し込んだりするようにしても良い。
【００２７】
カメラホルダ６の第１の表面２ａ側には、カメラ７が配置される。上側筐体２の側面２ｃの下方には、シャッタースイッチ１０が設けられている。
【００２８】
図１（ａ）に示すように、上側筐体２と下側筐体１とが開かれた状態において、第１の表示部３は、カメラ７により撮影された画像を表示する。この状態では、ユーザは、カメラ７を自分自身に向け、シャッタースイッチ１０を押すことにより、自分自身を撮影できる。しかも、そのときの画像は、第１の表示部３に表示されるから、ユーザは、自分自身の写り具合（構図等）を確認しながら、自分自身を撮影できる。
【００２９】
また、カメラホルダ６において、カメラ７の脇に照明部８が設けられる。照明部８は、典型的には、ストロボ等により構成される。照明部８は、カメラ７の撮影時に発光し光量を補充する。
【００３０】
ここで、カメラホルダ６を結合部３０に設けるのではなく、上側筐体２に設け、しかも直線的に引き出しうるように構成している。したがって、カメラホルダ６を設けても、カメラを装備していない携帯端末装置とほぼ同じサイズ（つまりコンパクトに）することができる。
【００３１】
また、本形態の携帯端末装置は、第２の表示部４を備えている。図３（ａ）、（ｂ）に示すように、カメラホルダ６をスライドさせて、上側筐体２から外側に突出させ、上側筐体２と下側筐体１とが折り畳まれると、カメラ７と照明部８は、外部に露呈する。このとき、第２の表示部４は、カメラ７により撮影された画像を表示する。
【００３２】
ユーザが、カメラ７を自分でない被写体へ向けると、第２の表示部４は、ユーザの方を向き、ユーザは、カメラ７による写り具合を確認できる。ユーザは、適当な構図となっていることを確認し、シャッタースイッチ１０を押せば、自分でない被写体を撮影することができる。
【００３３】
以上述べたように、ユーザは、単一のカメラ８のみを用いて、自分自身を撮影できるだけでなく、自分以外の被写体を撮影することができる。しかも、ユーザが自分自身を撮影するときは第１の表示部３により、自分以外の被写体を撮影するときは第２の表示部４により、構図を確認できる。
【００３４】
さらに、本形態では、携帯端末装置のサイズを大きくしたり、部品点数を増やすことなく、このような機能を実現できる。
【００３５】
（実施の形態２）
図４（ａ）、（ｂ）は、本発明の実施の形態２に関する。図４において、図１〜図３と同様の構成要素について、同じ符号を付すことにより重複する説明を省略する。
【００３６】
実施の形態２では、図４（ａ）、（ｂ）に示すように、実施の形態１における第２の表示部４を省略しても、実施の形態１とほぼ同様の効果を得ることができる。
【００３７】
実施の形態２では、実施の形態１と異なり、カメラホルダ６をやや大きめに形成し、カメラ７、照明部８に加えて、カメラホルダ６に、ファインダ１１が設けられる。ファインダ１１は、ユーザの目が、カメラホルダ６において上側筐体２から外側に突出する部分を、上側筐体２の裏面２ｂ側から下側筐体１の裏面１ｂへ向けて、透かして見ることができれば十分であり、透明板を貼った孔部でも良いし、原理的には、単なる空洞でも良い。
【００３８】
ユーザは、ファインダ１１を覗くことにより、カメラ７により撮影される画像の構図を知ることができるから、第２の表示部４は省略でき、携帯端末装置をより軽量に構成できる。
【００３９】
勿論、図１〜図４は、一例を示しているに過ぎず、被写体、表示法、シャッター１０及びスライドスイッチ９の位置等は、種々変更できる。
【００４０】
以上のように、本発明によれば、折り畳まれた状態と開かれた状態のいずれにおいても、カメラを共用できるように構成しており、しかも、カメラを結合部に設けずカメラホルダ毎スライドさせるようにしたため、結合部の厚みを増やさずに、携帯端末装置を薄型化できる。
【産業上の利用可能性】
【００４１】
本発明に係る画像処理装置は、例えば、カメラ付き折り畳み携帯電話等の分野において好適に利用できる。
【図面の簡単な説明】
【００４２】
【図１】（ａ）本発明の実施の形態１における携帯端末装置を表面側から見た斜視図（非スライド・開かれた状態）  （ｂ）本発明の実施の形態１における携帯端末装置を裏面側から見た斜視図（非スライド・開かれた状態）
【図２】（ａ）本発明の実施の形態１における携帯端末装置を表面側から見た斜視図（スライド・開かれた状態）  （ｂ）本発明の実施の形態１における携帯端末装置を裏面側から見た斜視図（スライド・開かれた状態）
【図３】（ａ）本発明の実施の形態１における携帯端末装置を表面側から見た斜視図（スライド・折り畳み状態）  （ｂ）本発明の実施の形態１における携帯端末装置を裏面側から見た斜視図（スライド・折り畳み状態）
【図４】（ａ）本発明の実施の形態２における携帯端末装置を表面側から見た斜視図（スライド・折り畳み状態）  （ｂ）本発明の実施の形態２における携帯端末装置を裏面側から見た斜視図（スライド・折り畳み状態）
【符号の説明】
【００４３】
１  下側筐体
１ａ  第２の表面
１ｂ  第２の裏面
２  上側筐体
２ａ  第１の表面
２ｂ  第１の裏面
３  第１の表示部
４  第２の表示部
５  キー操作部
６  カメラホルダ
７  カメラ
８  照明部
９  スライドスイッチ
１０  シャッタースイッチ
１１  ファインダ
３０  結合部
【図１】
2005236967.tif 000003
【図２】
2005236967.tif 000004
【図３】
2005236967.tif 000005
【図４】
2005236967.tif 000006